(57)【特許請求の範囲】
【請求項１】
非線形処理すべきデジタル３原色信号の内の１つの原色信号と、残りの２つの原色信号とを、それらの間で０．５画素だけ位相がずれるように第１のフィルタリング処理を施す工程と、
この第１のフィルタリング処理を施した３原色信号に対して非線形処理を施す工程と、
この非線形処理を施した３原色信号の位相が揃うように第２のフィルタリング処理を施す工程と、
この第２のフィルタリング処理を施した３原色信号から、輝度信号Ｙおよび色差信号Ｒ−ＹおよびＢ−Ｙを生成する工程と、を具え、
前記第１のフィルタリング処理を施す工程では、Ｇ原色信号またはＲおよびＢ原色信号の位相を０．２５画素だけ遅らせるとともに、ＲおよびＢ原色信号またはＧ原色信号の位相を０．７５画素だけ遅らせ、前記第２のフィルタリング処理を施す工程では、Ｇ原色信号またはＲおよびＢ原色信号の位相を０．７５画素だけ遅らせるとともに、ＲおよびＢ原色信号またはＧ原色信号の位相を０．２５画素だけ遅らせることを特徴とするデジタル映像信号処理方法。
【請求項２】
非線形処理すべきデジタル３原色信号の内の１つの原色信号の位相と、残りの２つの原色信号の位相とを０．５画素だけずらす第１のデジタルフィルタリング回路と、
この第１のデジタルフィルタリング回路から出力される３原色信号に対して非線形処理を施すデジタル非線形処理回路と、
この非線形処理回路から出力される３原色信号の位相を一致させる第２のデジタルフィルタリング回路と、
この第２のデジタルフィルタリング回路から出力される３原色信号から、輝度信号Ｙおよび色差信号Ｒ−Ｙ、Ｂ−Ｙを生成するマトリックス回路と、を具え、
前記第１のデジタルフィルタリング回路には、Ｇ原色信号またはＲおよびＢ原色信号の位相を０．２５画素だけ遅らせるデジタルフィルタと、ＲおよびＢ原色信号またはＧ原色信号の位相を０．７５画素だけ遅らせるデジタルフィルタとを設け、前記第２のデジタルフィルタリング回路には、Ｇ原色信号またはＲおよびＢ原色信号の位相を０．７５画素だけ遅らせるデジタルフィルタと、ＲおよびＢ原色信号またはＧ原色信号の位相を０．２５画素だけ遅らせるデジタルフィルタとを設けたことを特徴とするデジタル映像信号処理装置。
【発明の詳細な説明】
【０００１】
【産業上の利用分野】
本発明は、デジタル映像信号に対して非線形処理を施すデジタル映像信号処理方法および装置に関するものであり、特にカラーテレビジョンカメラから出力されるデジタル３原色信号に対して、ガンマ補正、ニー処理、クリップ処理などの非線形処理をデジタル的に行う際に発生される高調波成分が低域に折り返されることによって発生される偽信号を除去しながら非線形処理を行うデジタル映像信号処理方法および装置に関するものである。
【０００２】
【従来の技術】
図１に示すように、カラーテレビジョンカメラ１から出力されるデジタル３原色信号のそれぞれのＲ、Ｇ、Ｂ信号は、ゲイン、ペデスタルレベル、輪郭などの補正を行う線形処理回路２Ｒ、２Ｇ、２Ｂに通した後、モニタのガンマ特性に合わせるためのガンマ補正回路３Ｒ、３Ｇ、３Ｂや、３原色信号の最大レベルを規定値以下に抑えるためのニー（knee）回路４Ｒ、４Ｇ、４Ｂおよびクリップ回路５Ｒ、５Ｇ、５Ｂなどの回路に通された後、マトリックス回路６において、Ｒ、Ｇ、Ｂ信号を所定の比率で混合して輝度信号Ｙを生成すると共に色差信号Ｒ−ＹおよびＢ−Ｙが生成される。
【０００３】
図２Ａ、ＢおよびＣは、それぞれガンマ補正回路３Ｒ、３Ｇ、３Ｂ；ニー回路４Ｒ、４Ｇ、４Ｂおよびクリップ回路５Ｒ、５Ｇ、５Ｂの入出力特性を示すものであり、これらの回路では、入力信号と出力信号とが比例関係とはならない非線形処理が行なわれる。
【０００４】
このようにデジタル３原色信号に対して非線形処理を行うと、高調波成分が発生する。デジタル回路では、サンプリング周波数の半分までの帯域の成分しか表現できないので、発生した高調波成分の、サンプリング周波数の半分以上の成分はサンプリング周波数の半分以下の帯域に折り返される。このように折り返された成分は本来の映像信号には存在しないものであり、偽信号となり、画質を劣化させる原因となる。
【０００５】
図３Ａは、単一の周波数のデジタル信号をＦＦＴ（高速フーリエ変換）に通して解析したものである。単一周波数のスペクトルがピークＡの部分に現れている。図３Ｂは、このような単一周波数のデジタル信号をガンマ補正回路に通した場合の出力信号を示すものである。本来のピークＡに現れると共に、ガンマ補正による非線形処理をしたために発生された高調波成分がピークＢおよびＣに現れている。これらのピークＢおよびＣは、ピークＡの周波数の整数倍の周波数となっている。この他にピークＢおよびＣよりも低域の部分にピークＥおよびＤがそれぞれ現れている。これらのピークＤおよびＥは、ピークＣよりもさらに高い周波数の高調波が、サンプリング周波数ｆｓの１／２を越えていたので、ｆｓ／２以下の帯域に折り返された偽信号である。
【０００６】
【発明が解決すべき課題】
上述したように、デジタル映像信号を非線形処理することによる偽信号の発生を抑えるために、クロック周波数を上げてオーバーサンプリングをすることが提案されている。例えば、図４に示すように、カラーテレビジョンカメラ１から出力される３原色信号（図５Ａ）を、それぞれオーバーサンプリング回路７Ｒ、７Ｇ、７Ｂにおいて入力信号のサンプリング周波数ｆｓの２倍のサンプリング周波数２ｆｓでオーバーサンプリングし、このようにしてオーバーサンプリングされた３原色信号（図５Ｂ）に対して、ガンマ補正、ニー処理、クリップ処理を施す。このような処理を行う際のクロック周波数は２ｆｓであり、周波数ｆｓ／２〜ｆｓの間にも高調波が発生される（図５Ｃ）。マトリックス回路６において、輝度信号Ｙおよび色差信号Ｒ−ＹおよびＢ−Ｙを生成し、これらを、周波数ｆｓ／２〜ｆｓまでを減衰する低域通過フィルタ８Ｙ、８Ｒ、８Ｂにそれぞれ通して非線形処理によって発生した高調波をカットする（図５Ｄ）。その後、それぞれサブサンプリング回路９Ｙ、９Ｒ、９Ｂにおいて、元のサンプリング周波数ｆｓに戻す（図５Ｅ）。
【０００７】
上述したようにオーバーサンプリングを行うことによって、非線形処理によって生じる高調波成分が低域側に折り返される偽信号を抑止することができるが、入力信号のサンプリング周波数の２倍の周波数でオーバーサンプリングすると、非線形処理回路におけるクロック周波数も２倍となる。このようにクロック周波数が２倍となると、デジタル回路では消費電力がほぼ２倍となってしまう欠点がある。
【０００８】
本発明の目的は、上述したように、カラーテレビジョンカメラやＶＴＲなどから出力されるデジタル３原色信号に対して、ガンマ補正、ニー処理、クリップ処理などの非線形処理をデジタル的に行う際に発生される高調波成分が低域に折り返されることによって発生される偽信号を、オーバーサンプリングのような消費電力の増大を招くことなく有効に抑止することができるデジタル映像信号処理方法および装置を提供しようとするものである。
【０００９】
【課題を解決するための手段】
本発明によるデジタル映像信号の処理方法は、非線形処理すべきデジタル３原色信号の内の１つの原色信号と、残りの２つの原色信号とを、それらの間で０．５画素だけ位相がずれるように第１のフィルタリング処理を施す工程と、この第１のフィルタリング処理を施した３原色信号に対して非線形処理を施す工程と、この非線形処理を施した３原色信号の位相が揃うように第２のフィルタリング処理を施す工程と、この第２のフィルタリング処理を施した３原色信号から、輝度信号Ｙおよび色差信号Ｒ−ＹおよびＢ−Ｙを生成する工程と、を具え、前記第１のフィルタリング処理を施す工程では、Ｇ原色信号またはＲおよびＢ原色信号の位相を０．２５画素だけ遅らせるとともに、ＲおよびＢ原色信号またはＧ原色信号の位相を０．７５画素だけ遅らせ、前記第２のフィルタリング処理を施す工程では、Ｇ原色信号またはＲおよびＢ原色信号の位相を０．７５画素だけ遅らせるとともに、ＲおよびＢ原色信号またはＧ原色信号の位相を０．２５画素だけ遅らせることを特徴とするものである。
【００１０】
このような、本発明によるデジタル映像信号の処理方法においては、前記第２のフィルタリング処理を施した３原色信号を、前記１つの原色信号の混合比率と、残りの２つの原色信号の混合比率の和とがほぼ等しくなるような比率で混合して輝度信号Ｙを生成するのが特に好適である。
【００１１】
また、本発明によるデジタル映像信号の処理装置は、非線形処理すべきデジタル３原色信号の内の１つの原色信号の位相と、残りの２つの原色信号の位相とを０．５画素だけずらす第１のデジタルフィルタリング回路と、この第１のデジタルフィルタリング回路から出力される３原色信号に対して非線形処理を施すデジタル非線形処理回路と、この非線形処理回路から出力される３原色信号の位相を一致させる第２のデジタルフィルタリング回路と、この第２のデジタルフィルタリング回路から出力される３原色信号から、輝度信号Ｙおよび色差信号Ｒ−Ｙ、Ｂ−Ｙを生成するマトリックス回路と、を具え、前記第１のデジタルフィルタリング回路には、Ｇ原色信号またはＲおよびＢ原色信号の位相を０．２５画素だけ遅らせるデジタルフィルタと、ＲおよびＢ原色信号またはＧ原色信号の位相を０．７５画素だけ遅らせるデジタルフィルタとを設け、前記第２のデジタルフィルタリング回路には、Ｇ原色信号またはＲおよびＢ原色信号の位相を０．７５画素だけ遅らせるデジタルフィルタと、ＲおよびＢ原色信号またはＧ原色信号の位相を０．２５画素だけ遅らせるデジタルフィルタとを設けたことを特徴とするものである。
【００１２】
このような本発明によるデジタル映像信号の処理回路の参考例においては、前記第１のデジタルフィルタリング回路には、Ｇ原色信号またはＲおよびＢ原色信号を、その位相を遅らせることなく通すデジタルフィルタと、ＲおよびＢ原色信号またはＧ原色信号の位相を０．５画素だけ遅らせるデジタルフィルタとを設け、前記第２のデジタルフィルタリング回路には、Ｇ原色信号またはＲおよびＢ原色信号の位相を０．５画素だけ遅らせるデジタルフィルタと、ＲおよびＢ原色信号またはＧ原色信号を、その位相を遅らせることなく通すデジタルフィルタとを設ける。
【００１４】
上述した本発明によるデジタル映像信号処理方法および装置においては、非線形処理回路から出力される３原色信号のＲおよびＢ信号に現れる偽信号と、Ｇ信号に現れる偽信号の位相とは１８０°反転したものとなり、したがってＲおよびＢ信号の位相と、Ｇ信号の位相とを揃えた後に、これらを所定の比率で混合して輝度信号Ｙを生成すると、この輝度信号では偽信号は相殺除去されることになる。本発明において、画素とはサンプリング周波数ｆｓでサンプリングされた標本点を示し、０．５画素ずらすということは、３原色信号に対するクロックの位相をずらせるのではなく、これらのクロックの位相は同じで、３原色信号の位相をずらすことを意味するものである。
【００１５】
【発明の実施の形態】
図６は、本発明によるデジタル映像信号処理装置を具えるカラーテレビジョンカメラシステムを示すものである。このシステムは、デジタルカラーテレビジョンカメラ２１を具えるカメラユニットＣＵと、このカメラユニットから出力されるデジタル映像信号、すなわちデジタル３原色信号Ｒ、Ｇ、Ｂを処理するカメラコントロールユニットＣＣＵとを具えている。ここで、本発明によるデジタル映像信号処理方法は、カラーテレビジョンカメラ２１において、その撮像素子が空間的な画素ずらしが行われている場合、画素ずらしを補正して位相の揃った３原色信号を出力する構成のものであっても、或いは、画素ずらしを補正しておらず、Ｇ信号に対してＲおよびＢ信号の位相が０．５画素だけずれている３原色信号Ｒ、Ｇ、Ｂを出力する構成のものであってＣＣＵ側の入力で画素ずらしを補正するような構成となっていれば適用できるが、本例では位相の揃った３原色信号を出力するものである。
【００１６】
カメラコントロールユニットＣＣＵにおいては、カラーテレビジョンカメラ２１から出力される位相の揃ったデジタル３原色信号Ｒ、Ｇ、Ｂを、それぞれ第１のデジタルフィルタ２２Ｒ、２２Ｇ、２２Ｂに通して、Ｒ信号およびＢ信号を０．２５画素遅延し、Ｇ信号を０．７５画素遅延する。このような第１のデジタルフィルタ２２Ｒ、２２Ｇ、２２Ｂに通すことにより、Ｇ信号の位相を、ＲおよびＢ信号の位相に対して０．５画素遅延することができる。また、これらの第１のデジタルフィルタ２２Ｒ、２２Ｇ、２２Ｂに通したＲ、Ｇ、Ｂ信号に対して、ゲイン、ペデスタル、輪郭などの補正を行う線形処理回路２３Ｒ、２３Ｇ、２３Ｂにおいて線形処理を施す。
【００１７】
上述したように遅延し、線形処理を施した３原色信号を、モニタのガンマ特性に合わせるためのガンマ補正回路２４Ｒ、２４Ｇ、２４Ｂ、３原色信号の最大レベルを規定値以下に抑えるためのニー回路２５Ｒ、２５Ｇ、２５Ｂおよびクリップ回路２６Ｒ、２６Ｇ、２６Ｂなどのデジタル非線形処理回路に通した後、それぞれ第２のデジタルフィルタ２７Ｒ、２７Ｇ、２７Ｂに通し、Ｒ信号およびＢ信号を０．７５画素だけ遅延し、Ｇ信号を０．２５画素だけ遅延する。
【００１８】
上述したデジタル非線形処理回路において処理することにより高調波が発生し、サンプリング周波数ｆｓの１／２以上の高調波成分がｆｓ／２以下の帯域に折り返されて偽信号が発生する。図７Ａは、第２のデジタルフィルタ２７Ｇを通った後のＲ信号スペクトルを示し、図７Ｂは、第２のデジタルフィルタ２７Ｒおよび２７Ｂを通った後のＲおよびＢ信号のスペクトルを示すものである。このように、Ｇ信号にも、ＲおよびＢ信号にもｆｓ／２に現れる本来の信号の他に、それよりも低い帯域に折り返された偽信号が現れているが、本発明においては、Ｇ信号と、ＲおよびＢ信号とは０．５画素だけ位相がずれているので、Ｇ信号に現れる偽信号と、ＲおよびＢ信号に現れる偽信号とは、位相が１８０°反転したものとなっている。このことを、図７では、Ｇ信号中の偽信号を実線で示し、ＲおよびＢ信号中の偽信号を破線で示すことによって表している。
【００１９】
第２のデジタルフィルタ２７Ｒ、２７Ｇ、２７Ｂから出力されるＲ、Ｇ、Ｂ信号をマトリックス回路２８へ供給し、輝度信号Ｙと、Ｒ―ＹおよびＢ―Ｙ色差信号とを生成する。ここで、輝度信号Ｙは、
Ｙ＝０．３Ｒ＋０．５９Ｇ＋０．１１Ｂ                （１）
の比率で３原色信号を混合することによって生成している。この式（１）からわかるように、ＲおよびＢ信号の混合比率の和は、Ｇ信号の混合比率にほぼ等しくなっているので、輝度信号Ｙにおいては、偽信号は殆ど相殺除去され、図７Ｃに示すように、輝度信号Ｙ中の偽信号のレベルはきわめて小さいものとなる。なお、Ｒ−ＹおよびＢ−Ｙ色差信号においては、十分に低い周波数で帯域が制限されてモニタなどへ伝送されるので、モニタ上に映出される画像上では偽信号は殆ど目立つことはない。
【００２０】
上述した実施例においては、カメラユニットＣＵから出力される３原色信号の内、ＲおよびＢ信号を第１のデジタルフィルタ２２Ｒおよび２２Ｂによって、０．２５画素だけ遅延し、Ｇ信号を第１のデジタルフィルタ２２Ｇによって０．７５画素だけ遅延し、非線形処理を行った後に、ＲおよびＢ信号を第２のデジタルフィルタ２７Ｒおよび２７Ｂにおいて０．７５画素だけ遅延し、Ｇ信号を第２のデジタルフィルタ２７Ｇによって０．２５画素だけ遅延したが、本発明の変形例においては、このような関係を逆とすることもできる。すなわち、カメラユニットＣＵから出力される３原色信号の内、ＲおよびＢ信号を第１のデジタルフィルタによって、０．７５画素だけ遅延し、Ｇ信号を第１のデジタルフィルタによって０．２５画素だけ遅延し、非線形処理を行った後に、ＲおよびＢ信号を第２のデジタルフィルタにおいて０．２５画素だけ遅延し、Ｇ信号を第２のデジタルフィルタによって０．７５画素だけ遅延することもできる。このような変形例においても、上述した実施例と全く同じ効果が得られる。
【００２１】
図８は、本発明によるデジタル映像信号処理方法を適用したカラーテレビジョンシステムの参考例を示すものであり、上述した第１の実施例と同じ部分には同じ符号を付けて示し、その説明は省略する。本例においては、カメラユニットＣＵから出力される３原色信号の内、ＲおよびＢ信号を、それぞれ０．５画素の遅延時間を有する第１のデジタルフィルタ３２Ｒおよび３２Ｂに通し、Ｇ信号を０．０画素の遅延時間（すなわち遅延しない）を有する第１のデジタルフィルタ３２Ｇに通して、ＲおよびＢ信号と、Ｇ信号との間で０．５画素の位相差を与え、線形処理および非線形処理を施した後、ＲおよびＢ信号を、それぞれ０．０画素の遅延時間を有する第２のデジタルフィルタ３７Ｒおよび３７Ｂに通し、Ｇ信号を０．５画素の遅延時間を有する第２のデジタルフィルタ３７Ｇに通して、ＲおよびＢ信号の位相と、Ｇ信号との位相とを一致させる。
【００２２】
本例においても、デジタル非線形処理を施すＲおよびＢ信号と、Ｇ信号とは０．５画素の位相差があるので、Ｇ信号に現れるｆｓ／２よりも低い帯域に折り返された偽信号の位相と、ＲおよびＢ信号に現れるｆｓ／２よりも低い帯域に折り返された偽信号の位相とは１８０°反転したものとなっており、したがって上述した第２のデジタルフィルタ３７Ｒ、３７Ｇ、３７Ｂから出力される３原色信号をマトリックスる回路２８において、上述した式（１）にしたがって混合して輝度信号Ｙを生成すると、これらの偽信号は相殺除去されることになる。
【００２３】
上述した本発明の参考例の変形例として、カメラユニットＣＵから出力される３原色信号の内、ＲおよびＢ信号を、それぞれ０．０画素の遅延時間を有する第１のデジタルフィルタに通し、Ｇ信号を０．５画素の遅延時間を有する第１のデジタルフィルタに通して、ＲおよびＢ信号と、Ｇ信号との間で０．５画素の位相差を与え、非線形処理を施した後、ＲおよびＢ信号を、それぞれ０．５画素の遅延時間を有する第２のデジタルフィルタに通し、Ｇ信号を０．０画素の遅延時間を有する第２のデジタルフィルタに通すこともできる。このような変形例においても、ＲおよびＢチャネルに現れる偽信号の位相と、Ｇチャネルに現れる偽信号の位相とは１８０°反転したものとなるので、輝度信号Ｙにおいては相殺除去されることになる。
【００２４】
図９は、上述した第１および第２の実施例に用いられるデジタルフィルタの一例の構成を示すものである。入力端子Inのデジタル入力信号をカスケード接続した１６段のフリップフロップFF1〜FF16に順次に供給し、これらのフリップフロップの各々から出力される信号に、それぞれ乗算器M1〜M16において所定の係数K0〜K16を乗算し、その乗算結果を加算器Addにおいて加算し、その加算結果を割算器Divにおいて２５６で除算して出力端子Outからフィルタリング処理されたデジタル出力信号が出力される。
【００２５】
このようなデジタルフィルタにおいては、係数K0〜K16を設定することによって所望のフィルタ特性を実現することができる。例えば、第１の実施例で用いられる０．２５画素だけ遅延させるデジタルフィルタは、次表１に示すように係数K0〜K16を設定することによって実現することができ、また０．７５画素だけ遅延させるデジタルフィルタは、次表２に示すように係数K0〜K16を設定することによって実現することができる。
【００２６】
【表１】
0004215909.tif 000002
【００２７】
【表２】
0004215909.tif 000003
【００２８】
また、上述した参考例で用いられる０．０画素だけ遅延させる（すなわち遅延させない）デジタルフィルタは、次表３に示すように係数K0〜K16を設定することによって実現することができ、また０．５画素だけ遅延させるデジタルフィルタは、次表４に示すように係数K0〜K16を設定することによって実現することができる。上述したデジタルフィルタにおいては、係数の合計が２５６となるように、フィルタの入出力のゲインが１倍となるようなフィルタである。
【００２９】
【表３】
0004215909.tif 000004
【００３０】
【表４】
0004215909.tif 000005
【００３１】
上述したデジタルフィルタの内、０．０画素遅延するフィルタは、図１０Ａに示すような周波数特性を持っており、周波数ｆｓ／２付近でも高域成分が劣化することはないが、０．５画素遅延するフィルタは、図１０Ｂに示すように、高域部分において周波数の劣化が見られる。このように、周波数特性の相違するフィルタを使用する場合には、入力デジタル映像信号が白黒信号である場合、非線形処理で３原色信号の波形が同じとならず、したがって高域部で色が付いた映像となる恐れがある。
【００３２】
一方、上述した第１の実施例で使用するデジタルフィルタは、表１および２を比較すると分かるように、０．２５画素だけ遅延するフィルタと、０．７５画素だけ遅延するフィルタとは、係数が左右で入れ替わっているだけであるので、図１０Ｃに示すようにこれらのフィルタの周波数特性は同一となり、したがってフィルタリング処理による高域部の劣化は、同じように現れる。したがって、例えば、入力デジタル映像信号が白黒信号である場合も、高域部で色が付いた映像となるようなことはない。
【００３３】
本発明は上述した実施例にのみ限定されるものではなく、幾多の変更や変形が可能である。例えば、上述した実施例においては、式（１）に基づいて３原色信号を混合して輝度信号Ｙを生成したが、
Ｙ＝αＲ＋０．５Ｇ＋βＢ（ただしα＋β＝０．５）              （２）
とすることもでき、この場合には、ＲおよびＢチャネルに現れる偽信号と、Ｇチャネルに現れる偽信号とを完全に相殺することができる。
【００３４】
また、例えば輝度信号Ｙを、
Ｙ＝０．６Ｒ＋０．３Ｇ＋０．１Ｂ                      （３）
の比率で混合して生成する場合には、第１のデジタルフィルタでＲ信号を０．７５画素だけ遅延し、ＧおよびＢ信号を０．２５画素だけ遅延し、第２のデジタルフィルタでＲ信号を０．２５画素だけ遅延し、ＧおよびＢ信号を０．７５画素だけ遅延することもできる。いずれにしても、本発明においては、３原色信号から輝度信号Ｙを生成する際の混合比率が０．５に近い１つの原色信号と、残りの２つの３原色信号とを、上述したように処理すれば良い。
【００３５】
さらに、上述した実施例においては、カメラユニットＣＵから出力される位相の揃った３原色信号を入力させたが、カメラユニットからＹ色差信号が出力される場合には、カメラコントロールユニットＣＣＵ側の上述した第１のデジタルフィルタの前段に、Ｙ色差信号を３原色信号に戻す逆マトリックス回路を設け、その３原色信号に対して同様な処理を行なえばよい。
【００３６】
さらに、上述した実施例では、処理すべきデジタル映像信号をカラーテレビジョンカメラから出力されるデジタル３原色信号としたが、他のデジタル映像処理を行うような機器、例えばスイッチャ、ＶＴＲ、モニタなどであっても、Ｒ、Ｇ、Ｂの映像信号に対する非線形処理があれば本発明を適用することができる。また、カメラ側で撮像素子が空間画素ずらしを行なっていない場合で、Ｒ、Ｇ、Ｂ信号の位相が揃っていれば同様の処理が可能である。
【００３７】
また、上述した図６および８に示す実施例においては、線形処理回路を、第１のデジタルフィルタの後段に設けたが、これを第１のデジタルフィルタの前段に設けることもできる。
【００３８】
【発明の効果】
上述したように、本発明によれば、カラーテレビジョンカメラから出力される３原色信号のＲおよびＢ信号の位相と、Ｇ信号の位相とを０．５画素だけ相違させてから、ガンマ補正、ニー処理、クリップ処理などの非線形処理を施すことにより、高調波がｆｓ／２以下の低域に折り返される偽信号は、これらの信号の間で１８０°位相が反転して生じることになる。したがって、ＲおよびＢ信号の位相と、Ｇ信号の位相とを揃えてから、これらを所定の比率で混合して生成される輝度信号Ｙにおいては、上述した偽信号は相殺除去されることになる。この場合、絵柄によっては、３原色信号が相違するので完全には相殺されないが、一般にはこれらの３原色信号は同じような周波数成分を含んでいるので、大部分相殺され、映出された画像において偽信号は殆ど目立たなくなる。このように、本発明においては、従来のようなオーバーサンプリングを行う必要はないので、非線形処理回路でのクロック周波数を２倍とする必要はなく、したがって消費電力の増大をまねくことはない。
【図面の簡単な説明】
【図１】  図１従来のデジタル映像信号の非線形処理回路を示すブロック図である。
【図２】  図２Ａ、ＢおよびＣは、非線形処理の特性を示すグラフである。
【図３】  図３ＡおよびＢは、入力信号および非線形処理後の出力信号のスペクトルを示すグラフである。
【図４】  図４は、オーバーサンプリングによって偽信号を抑止する従来の処理回路を示すブロック図である。
【図５】  図５Ａ〜Ｅは、同じくその動作を説明するための信号スペクトルを示すグラフである。
【図６】  図６は、本発明によるデジタル映像信号処理方法を適用したカラーテレビジョンシステムの一例の構成を示すブロック図である。
【図７】  図７Ａ〜Ｃは、同じくその動作を説明するための信号スペクトルを示すグラフである。
【図８】  図８は、本発明によるデジタル映像信号処理方法を適用したカラーテレビジョンシステムの参考例の構成を示すブロック図である。
【図９】  図９は、本発明で用いるデジタルフィルタの一例の構成を示すブロック図である。
【図１０】  図１０Ａ〜１０Ｃは、幾つかのデジタルフィルタの周波数特性を示すグラフである。
【符号の説明】
ＣＵ カメラユニット、 ＣＣＵ カメラコントロールユニット、 ２１ カラーテレビジョンカメラ、 ２２Ｒ、２２Ｇ、２２Ｂ 線形処理回路、 ２３Ｒ、２３Ｇ、２３Ｂ；３２Ｒ、３２Ｇ、３２Ｂ 第１デジタルフィルタ、 ２４Ｒ、２４Ｇ、２４Ｂ ガンマ補正回路、 ２５Ｒ、２５Ｇ、２５Ｂ ニー回路、 ２６Ｒ、２６Ｇ、２６Ｂ クリップ回路、 ２７Ｒ、２７Ｇ、２７Ｂ；３７Ｒ、３７Ｇ、３７Ｂ 第２デジタルフィルタ、２８ マトリックス回路
【図１】
0004215909.tif 000006
【図２】
0004215909.tif 000007
【図３】
0004215909.tif 000008
【図４】
0004215909.tif 000009
【図５】
0004215909.tif 000010
【図６】
0004215909.tif 000011
【図７】
0004215909.tif 000012
【図８】
0004215909.tif 000013
【図９】
0004215909.tif 000014
【図１０】
0004215909.tif 000015